(57)【要約】【課題】コスト増加の抑制を図るとともに、単純化や標準化も図ることが可能な、電池集合体と導電路付き端子との接続構造を提供する。【解決手段】複数の電線付き電圧検出端子１７をケース１６の本体部２１に組み付けると、端子本体３８は対応する収容固定部２３に固定される。具体的には、電気接触部３９の形状が端子本体３８の全体で見ると凹状の形状になることから、組み付けを行うことにより、電気接触部３９は底面２５よりも電池３側に突出した状態で固定される。また、組み付けを行うことにより、端子本体３８は電線接続部４０が載置部２７に載置され、電線接続部４０から引き出された電線３７は、電線収容部２４に収容・配索される。【選択図】図６
2015082406.tif 000002
【特許請求の範囲】
【請求項１】
複数の電池からなる電池集合体と、前記電池の電極に接続される導電路付き端子と、該導電路付き端子における導電性の端子本体を少なくとも収容する絶縁性のケースとを備え、
且つ、該ケースに前記電極の軸方向に貫通する貫通部を形成するとともに、前記端子本体に電極挿通孔を有する平板状の電気接触部を形成し、
且つ、該電気接触部を、前記貫通部を介して前記電池側となる前記ケースの底面よりも突出する形状に形成するとともに、前記貫通部の周縁に端子固定部を形成して前記電気接触部を前記底面よりも前記電池側に突出したままの状態に固定する
ことを特徴とする電池集合体と導電路付き端子との接続構造。
【請求項２】
請求項１に記載の電池集合体と導電路付き端子との接続構造において、
前記端子本体側の被固定部の構成として、前記電気接触部の一端側に段付き状態で第一被固定部分を形成するとともに、前記一端の反対側となる他端側にも段付き状態で導電路接続部分を形成し、且つ、前記他端の位置には前記導電路接続部分と共に被固定状態になる第二被固定部分を形成する
ことを特徴とする電池集合体と導電路付き端子との接続構造。
【請求項３】
請求項１に記載の電池集合体と導電路付き端子との接続構造において、
前記端子固定部の構成として、前記貫通部の第一縁部側で前記底面よりも前記電池から離れる側に第一端子固定部分を形成するとともに、前記第一縁部の反対側となる第二縁部側で前記底面よりも前記電池から離れる側に導電路載置部分を形成し、且つ、前記第二縁部の位置には前記導電路載置部分と共に固定をする第二端子固定部分を形成する
ことを特徴とする電池集合体と導電路付き端子との接続構造。
【請求項４】
請求項１、２又は３に記載の電池集合体と導電路付き端子との接続構造において、
前記電気接触部を少なくとも該電気接触部の肉厚分だけ前記底面から突出する形状に形成する
ことを特徴とする電池集合体と導電路付き端子との接続構造。
【請求項５】
請求項１、２、３又は４に記載の電池集合体と導電路付き端子との接続構造において、
前記端子本体を電圧検出端子とするとともに、前記導電路付き端子における導電路を電線とする
ことを特徴とする電池集合体と導電路付き端子との接続構造。
【請求項６】
請求項１、２、３、４又は５に記載の電池集合体と導電路付き端子との接続構造において、
前記電池を隣り合わせた状態にして対向する前記電極同士を接続するための導電性で平板状の接続板を更に備え、且つ、該接続板に前記底面から突出する前記電気接触部に対する載置面を形成し、且つ、前記接続板を予め前記電極に設けておく
ことを特徴とする電池集合体と導電路付き端子との接続構造。
【発明の詳細な説明】
【技術分野】
【０００１】
本発明は、例えばハイブリッド自動車や電気自動車などに用いられるバスバーモジュールにおける電気的な接続構造、具体的には、電池集合体と導電路付き端子との接続構造に関する。
【背景技術】
【０００２】
例えばハイブリッド自動車や電気自動車には、高圧のバッテリーとして図９及び図１０に示すような電池集合体１０１が搭載される。電池集合体１０１は、複数の電池１０２を並べてなり、各電池１０２には、プラス電極及びマイナス電極として用いられる一対の電極１０３が設けられる。一対の電極１０３は、ここでは電池１０２の左右両側部からそれぞれ一つずつ突出するように設けられる。電池集合体１０１は、隣り合う電池１０２同士の側部において、対向する電極１０３がプラス電極及びマイナス電極になるように並べられる。
【０００３】
引用符号１０４は従来のバスバーモジュールを示す。バスバーモジュール１０４は、上記のような、対向する電極１０３（プラス電極及びマイナス電極）を接続する部分を複数有する長尺な部材であって、ここでは電池集合体１０１の左右両側部にそれぞれ設けられる。図１０及び図１１において、バスバーモジュール１０４は、複数のバスバー１０５と、電線１０６の端末に設けられた電圧検出端子１０７と、ケース１０８とを備えて構成される。
【０００４】
バスバー１０５は、導電性を有する金属板からなる。バスバー１０５は平板状であって、所定位置には電極挿通孔１０９、１０９が貫通形成される。電極挿通孔１０９、１０９には、上記対向する電極１０３（プラス電極及びマイナス電極）が挿通される。図１１及び図１２において、電圧検出端子１０７は、導電性を有する金属板からなり、平板状の電気接触部１１０と、この電気接触部１１０に連続する電線接続部１１１とを有する。電気接触部１１０の中央位置には、電極挿通孔１１２が貫通形成される。また、電気接触部１１０の一端には、差し込み凸部１１３が形成される。尚、電気接触部１１０の他端には、電線接続部１１１が連成される。電線接続部１１１は、電線１０６の端末を圧着接続する部分として形成される。
【０００５】
図１０及び図１１において、ケース１０８は、絶縁性を有する樹脂成形品であって、バスバー収容機能部分１１４と、電線収容機能部分１１５と、これらを連結する複数の連結部１１６とを有して、全体が図示のような長尺な形状に形成される。尚、連結部１１６は短く、その形状は溝状となるように形成される。
【０００６】
バスバー収容機能部分１１４には、バスバー１０５及び電気接触部１１０に対する収容固定部１１７が複数形成される。収容固定部１１７には、バスバー１０５を固定するための一対のロック部１１８が形成される。また、電極１０３の軸方向に貫通する貫通部１１９、１１９や、バスバー１０５に対する受け部１２０、１２０、１２１も形成される（図１４参照）。貫通部１１９、１１９や、受け部１２０、１２０、１２１は、底壁１２２に形成される。この他、収容固定部１１７には、電気接触部１１０の差し込み凸部１１３に対する差し込み凹部１２３も形成される。
【０００７】
電圧検出端子１０７から引き出された電線１０６の端末は、連結部１１６に収容される。また、電線１０６は、電線収容機能部分１１５に収容されて所定の状態に配索される。電線収容機能部分１１５には、カバー１２４が複数箇所にわたって形成される。電線収容機能部分１１５に収容配索された複数本の電線１０６は、カバー１２４により覆われて保護される。
【０００８】
上記構成及び構造において、図１３に示すように、ケース１０８の収容固定部１１７に、バスバー１０５を先ず固定する。そして次に、バスバー１０５上の所定位置に重ねるようにして電気接触部１１０を固定する。電気接触部１１０は、この一端の差し込み凸部１１３が収容固定部１１７の差し込み凹部１２３に差し込まれることによって固定される。電線収容機能部分１１５に電圧検出端子１０７から引き出された電線１０６を収容配索し、この後にカバー１２４を閉じると、バスバーモジュール１０４の組み付けが完了する。
【０００９】
電池集合体１０１に対しバスバーモジュール１０４の取り付けを行うと、バスバー１０５及び電気接触部１１０の各電極挿通孔１０９、１１２に電極１０３が挿通される。この時、電極１０３の座部１２５は、貫通部１１９に挿通された状態になる。また、座部１２５は、この座面（電極座面）によってバスバー１０５を受けるようにもなる。電極１０３に対しナット１２６を締め付けると、電気的な接続が完了するとともに、電池集合体１０１に対するバスバーモジュール１０４の取り付けも完了する。
【００１０】
尚、バスバーモジュール１０４の詳細な構造について、ここでの説明は省略するものとする（例えば下記特許文献１に開示された技術が参考になる）。
【先行技術文献】
【特許文献】
【００１１】
【特許文献１】特開２０１３−１７３３２号公報
【発明の概要】
【発明が解決しようとする課題】
【００１２】
ところで、上記従来技術にあっては、電池集合体１０１とバスバーモジュール１０４との電気的な接続構造として、図１３及び図１４に示すように、ケース１０８の収容固定部１１７に形成された貫通部１１９に対し電極１０３が座部１２５とともに挿通されることから、貫通部１１９は少なくとも座部１２５の径よりも（電極座面よりも）大きくしなければならない。従って、座部１２５の径が変更等により大きくなれば収容固定部１１７のサイズも大きくなり、結果、ケース１０８が大型化してしまうという問題点を有する。
【００１３】
また、上記従来技術にあっては、電池集合体１０１とバスバーモジュール１０４との電気的な接続構造として、図１１に示すように、バスバー１０５を固定するための一対のロック部１１８がケース１０８の収容固定部１１７に形成されることから、ロック部１１８のために、収容固定部１１７の周壁１２７を高く（壁を高く）形成したり、切り込み（撓みを可能にするための部分）を形成したりしなければならない。従って、ケース１０８が高さ方向に大型化してしまうという問題点を有する。
【００１４】
以上のような問題点は、ケース１０８の金型費用や部品代が高額になってしまうことにつながる。また、ケース１０８等の構造の単純化や標準化に影響を来してしまうことにもつながる。
【００１５】
本発明は、上記した事情に鑑みてなされたもので、コスト増加の抑制を図るとともに、単純化や標準化も図ることが可能な、電池集合体と導電路付き端子との接続構造を提供することを課題とする。
【課題を解決するための手段】
【００１６】
上記課題を解決するためになされた請求項１に記載の本発明の電池集合体と導電路付き端子との接続構造は、複数の電池からなる電池集合体と、前記電池の電極に接続される導電路付き端子と、該導電路付き端子における導電性の端子本体を少なくとも収容する絶縁性のケースとを備え、且つ、該ケースに前記電極の軸方向に貫通する貫通部を形成するとともに、前記端子本体に電極挿通孔を有する平板状の電気接触部を形成し、且つ、該電気接触部を、前記貫通部を介して前記電池側となる前記ケースの底面よりも突出する形状に形成するとともに、前記貫通部の周縁に端子固定部を形成して前記電気接触部を前記底面よりも前記電池側に突出したままの状態に固定することを特徴とする。
【００１７】
このような特徴を有する本発明によれば、ケースの底面よりも電池側に導電路付き端子の電気接触部を平板状の状態で突出させることから、電池集合体における電極座面が仮に大きくなったとしても、或いは、電極等を変更する必要があったとしても、ケース自体の大型化につながるようなことはない。例えば、電極座面の大きさは、電気接触部の電極挿通孔を変更すればよい。この他、電極のピッチが変わらなければ、ケース等を流用し続けることが可能である。
【００１８】
また、本発明によれば、ケースの底面よりも電池側に電気接触部を突出させ、そして、突出したままの状態に固定することから、接続に関し、ケースの底面と例えば電池側との干渉が生じることはない。
【００１９】
請求項２に記載の本発明は、請求項１に記載の電池集合体と導電路付き端子との接続構造において、前記端子本体側の被固定部の構成として、前記電気接触部の一端側に段付き状態で第一被固定部分を形成するとともに、前記一端の反対側となる他端側にも段付き状態で導電路接続部分を形成し、且つ、前記他端の位置には前記導電路接続部分と共に被固定状態になる第二被固定部分を形成することを特徴とする。
【００２０】
このような特徴を有する本発明によれば、導電路付き端子に関し、ケースに固定される部分として端子本体側の被固定部を有する。被固定部は、第一被固定部分と導電路固定部分と第二被固定部分とを含んで構成され、電気接触部の一端とその反対側の他端とに跨るように配置されることから、ケースへの固定に関しては、一箇所に集中するような偏った状態の固定でなく、安定した状態の固定になる。
【００２１】
また、本発明によれば、端子本体の形状に関し、第一被固定部分と導電路固定部分は電気接触部に対し段付き状態で形成されることから、電気接触部は凹状の部分になり、そのため電気接触部をケースの底面よりも電池側に突出させることが容易な形状になる。
【００２２】
請求項３に記載の本発明は、請求項１に記載の電池集合体と導電路付き端子との接続構造において、前記端子固定部の構成として、前記貫通部の第一縁部側で前記底面よりも前記電池から離れる側に第一端子固定部分を形成するとともに、前記第一縁部の反対側となる第二縁部側で前記底面よりも前記電池から離れる側に導電路載置部分を形成し、且つ、前記第二縁部の位置には前記導電路載置部分と共に固定をする第二端子固定部分を形成することを特徴とする。
【００２３】
このような特徴を有する本発明によれば、ケースに関し、導電路付き端子を固定する部分として端子固定部を有する。端子固定部は、第一端子固定部分と導電路載置部分と第二端子固定部分とを含んで構成され、電極の軸方向に貫通する貫通部の周縁に配置形成される。端子固定部は、貫通部の第一縁部側とその反対側に位置する第二縁部側とに跨るように配置されることから、導電路付き端子を固定することに関しては、一箇所に集中するような偏った状態の固定でなく、安定した状態の固定になる。
【００２４】
請求項４に記載の本発明は、請求項１、２又は３に記載の電池集合体と導電路付き端子との接続構造において、前記電気接触部を少なくとも該電気接触部の肉厚分だけ前記底面から突出する形状に形成することを特徴とする。
【００２５】
このような特徴を有する本発明によれば、ケースの底面よりも電池側に電気接触部をこの肉厚分だけ突出させることから、上記のように干渉の発生が抑えられる。尚、電極の軸方向の寸法は極僅かに増であって特に問題になることはない。それよりも干渉防止につながる効果の方が格段に大きい。
【００２６】
請求項５に記載の本発明は、請求項１、２、３又は４に記載の電池集合体と導電路付き端子との接続構造において、前記端子本体を電圧検出端子とするとともに、前記導電路付き端子における導電路を電線とすることを特徴とする。
【００２７】
このような特徴を有する本発明によれば、電池集合体と電線付き電圧検出端子との接続に関して有効になる。尚、本発明の適用は、電圧検出に限らないものとする。また、導電路としては、導電性を有する帯板状の部材であってもよいものとする。
【００２８】
請求項６に記載の本発明は、請求項１、２、３、４又は５に記載の電池集合体と導電路付き端子との接続構造において、前記電池を隣り合わせた状態にして対向する前記電極同士を接続するための導電性で平板状の接続板を更に備え、且つ、該接続板に前記底面から突出する前記電気接触部に対する載置面を形成し、且つ、前記接続板を予め前記電極に設けておくことを特徴とする。
【００２９】
このような特徴を有する本発明によれば、電池集合体の電極に予め接続板を設けておくことで、ケース側では導電路付き端子の固定に係る構造のみを有すればよい。ケースの構造は当然に単純化する。
【００３０】
また、本発明によれば、電気的な接続に関し、電極の位置で、ケースの底面よりも電池側に突出する導電路付き端子の電気接触部と、接続板の載置面とを重ね合わせればよい。接続は容易であり、自動機による接続・組み付けが可能になる。
【発明の効果】
【００３１】
請求項１に記載された本発明によれば、導電路付き端子の端子本体を少なくともケースに収容した状態で電池集合体と電気的に接続をする構造であり、具体的には、端子本体の平板状の電気接触部をケースの底面よりも電池側に突出させ、且つ、突出させたままの状態で固定をし、その上で接続をする構造であることから、電池集合体における電極座面が仮に大きくなったとしても、或いは、電極等を変更する必要があったとしても、ケース自体の大型化につながらないようにすることができる。より良くは、上記構造であることから、接続相手の形状や大きさ等に左右されずに使用することができる。従って、本発明によれば、コスト増加の抑制を図ることや、接続に係る自由度を高めることができるという効果を奏する。また、単純化や標準化を図ることができるという効果も奏する。この他、接続に関し、ケースの底面と例えば電池側との干渉を防止することができるという効果も奏する。
【００３２】
請求項２に記載された本発明によれば、請求項１の効果に加え、次のような効果も奏する。すなわち、ケースに固定される部分として、端子本体側に、所定の配置構成となる被固定部を有することから、この被固定部により固定状態の安定化を図ることができるという効果を奏する。
【００３３】
請求項３に記載された本発明によれば、請求項１の効果に加え、次のような効果も奏する。すなわち、導電路付き端子を固定する部分として、ケースの貫通部周縁に、所定の配置構成となる端子固定部を有することから、この端子固定部により固定状態の安定化を図ることができるという効果を奏する。
【００３４】
請求項４に記載された本発明によれば、請求項１、２又は３の効果に加え、次のような効果も奏する。すなわち、電気接触部をこの肉厚分だけ電池側に突出させるだけであることから、大型化を抑制しつつ電池側との干渉も防止することができるという効果を奏する。
【００３５】
請求項５に記載された本発明によれば、請求項１、２、３又は４の効果に加え、次のような効果も奏する。すなわち、電池集合体と電線付き電圧検出端子との接続に適用することができるという効果を奏する。
【００３６】
請求項６に記載された本発明によれば、請求項１、２、３、４又は５の効果に加え、次のような効果も奏する。すなわち、ケースの構造を単純化・標準化することができるという効果や、電池集合体に対し自動機による接続・組み付けをすることができるという効果を奏する。
【図面の簡単な説明】
【００３７】
【図１】本発明に係る電池集合体と電線付き電圧検出端子との接続構造を示す全体斜視図である。
【図２】図１の接続構造の構成を示す分解斜視図である。
【図３】ケース及び電線付き電圧検出端子を備える側を、ケースの底面側から見た状態を示す斜視図である。
【図４】電線付き電圧検出端子をケースに固定した状態を示す平面図である。
【図５】電線付き電圧検出端子を示す拡大斜視図である。
【図６】図１の接続構造を示す断面図及び斜視図である。
【図７】図１の接続構造を示す断面図である。
【図８】電圧検出端子の固定状態を示す断面図及び斜視図である。
【図９】従来例の電池集合体とバスバーモジュールとの接続構造を示す全体斜視図である。
【図１０】図９の接続構造の構成を示す分解斜視図である。
【図１１】図１０のバスバー及び電線付き電圧検出端子をケースに固定した状態を示す平面図である。
【図１２】図１０の電線付き電圧検出端子を示す拡大斜視図である。
【図１３】図９の接続構造を示す断面図及び斜視図である。
【図１４】図１３をケースの底面側から見た状態を示す斜視図である。
【発明を実施するための形態】
【００３８】
電池集合体と導電路付き端子との接続構造では、導電路付き端子の端子本体を少なくともケースに収容する。この時、ケースの底面よりも電池側に端子本体の電気接触部を突出させる。また、突出したままの状態で電気接触部を固定する。そして、このような底面から突出状態にある電気接触部と電池側とで電気的な接続を行う。
【実施例】
【００３９】
以下、図面を参照しながら実施例を説明する。図１は本発明に係る電池集合体と電線付き電圧検出端子との接続構造を示す全体斜視図である。また、図２は図１の接続構造の構成を示す分解斜視図である。さらに、図３はケース及び電線付き電圧検出端子を備える側を、ケースの底面側から見た状態を示す斜視図である。
【００４０】
図１及び図２において、引用符号１はハイブリッド自動車又は電気自動車の所定位置に搭載される高圧の電池集合体を示す。また、引用符号２は電池集合体１に対し電気的な接続を行うためのバスバーモジュールを示す。
【００４１】
電池集合体１は、複数の電池３を並べてなり、各電池３には、プラス電極及びマイナス電極として用いられる電極４、５が設けられる。電極４、５は、所定の間隔で電池上部に設けられる。また、電極４、５は、それぞれ異なる高さで上方へ突出するように設けられる。電池集合体１は、隣り合う電池３同士の対向する電極４、５がプラス電極及びマイナス電極になるように並べられる。尚、電池集合体１は、様々な形態のものがあり、図に示すものはそのうちの一つであるものとする。
【００４２】
図２において、電極４は、円柱状で大径となる座部６と、この座部６の上面中央（電極座面の中央）に設けられるボルト部７とを有して構成される。ボルト部７は、座部６よりも小径（電極座面よりも小径）であって、これらボルト部７と座部６との間には、段差が形成される。この段差は、電極座面として形成される。一方、電極５の方は、座部６のみで構成される（電極座面を有する）。電極座面は、平坦に形成される。
【００４３】
バスバーモジュール２は、予め電池集合体１側に設けられる第一モジュール構成部８と、後から第一モジュール構成部８に一体化する第二モジュール構成部９とを含んで構成される（尚、上記構成に関し特徴づけると、「電池集合体１に対し電気的な接続を行うためのバスバーモジュール２において、当該バスバーモジュール２は第一モジュール構成部８及び第二モジュール構成部９を含み、第一モジュール構成部８は予め電池集合体１側に設けられ、第二モジュール構成部９は後から第一モジュール構成部８に一体化することを特徴とする」となる）。
【００４４】
第一モジュール構成部８は、バスバー１０（接続板）を複数備えて構成される。バスバー１０は、導電性を有する金属平板を長方形状にしてなるものであって、隣り合う電池３同士の対向する電極４、５（プラス電極及びマイナス電極）を電気的に接続するために備えられる。このようなバスバー１０は、電極挿通孔１１と、後述する電気接触部３９に対する載置面１２と、ケース対向面１３とを有する。
【００４５】
載置面１２は、電極挿通孔１１の周縁に配置形成される。また、載置面１２は、平面に形成される。ケース対向面１３は、載置面１２と同一平面となるように形成される。ケース対向面１３は、後述するケース１６の底面２５に対し僅かな間隔をあけて対向するような面として形成される。
【００４６】
第一モジュール構成部８は、上記の如く予め電池集合体１側に設けられるものであって、本実施例においては、バスバー１０が直接、電極４、５に溶接される固定方法が採用される（固定方法は特に限定されないものとする。本実施例においては、電極４及び電極５の上記電極座面にそれぞれに載置されて溶接される）。複数のバスバー１０は、各々が接触し合わない状態で電極４、５に溶接される。引用符号１４、１５は、複数のバスバー１０がそれぞれ一列に並ぶ第一バスバー列、第二バスバー列を示す。
【００４７】
図１ないし図３において、第二モジュール構成部９は、ケース１６と、複数の電線付き電圧検出端子１７とを備えて構成される。第二モジュール構成部９に関し、上記第一モジュール構成部８の構成から言うと、公知のバスバーモジュールから複数のバスバーを除いたものと基本的に同じに構成される。
【００４８】
ケース１６は、本実施例において、絶縁性を有する樹脂材料からなる二部品構成の成形品であって、第一ケース１８を有するとともに、第二ケース１９及びケース連結部２０を有する。第一ケース１８と第二ケース１９は平行に配置され、第一ケース１８の一端が、第二ケース１９の一端に連続するケース連結部２０により連結される。第一ケース１８と第二ケース１９は、第一モジュール構成部８の第一バスバー列１４、第二バスバー列１５の位置に合わせて配置される。このようなケース１６は、各部分の配置からも分かるように、平面視略コ字状となる形状に形成される。
【００４９】
第一ケース１８と第二ケース１９は、図面を見ると外観面で若干異なるものの、機能面では共通する構造も多いことから、以下、第一ケース１８を代表としてこの構成及び構造を説明することにする。従って、第二ケース１９の説明はここでは省略するものとする。
【００５０】
第一ケース１８は、第一モジュール構成部８の第一バスバー列１４に合わせてのびるように形成される。言い換えれば、電池集合体１を構成する複数の電池３の並び方向の長さに合わせて形成される。引用符号２１を第一ケース１８の本体部とすると、この本体部２１は、平面視略長方形状で細長の底壁２２と、この底壁２２の周縁に連成される側壁（符号省略）とを有し、上面側は開放状態となる浅底の箱形状に形成される。
【００５１】
本体部２１には、収容固定部２３が複数形成される。収容固定部２３は、第一バスバー列１４を構成するバスバー１０と同じ数だけ形成される。また、バスバー１０の位置に合わせて配置形成される。
【００５２】
本体部２１には、複数の収容固定部２３の他に電線収容部２４も形成される。電線収容部２４は、後述する電線３７を収容するとともに、電線３７を配索する部分として形成される。電線収容部２４は、本体部２１の周囲に配置形成される。
【００５３】
図３において、底壁２２は、電池集合体１側（電池３側）となる底面２５が平面となるように形成される。底面２５は、本実施例において、底壁２２の下面に相当する。このような底壁２２には、収容固定部２３（図１及び図２参照）の位置に合わせて貫通部２６が形成される。貫通部２６は、収容固定部２３を構成する一部分として形成される。貫通部２６は、電極４の軸方向に貫通するように形成される。また、貫通部２６は、後述する電気接触部３９の形状に合わせて貫通するように形成される。
【００５４】
以下、図４ないし図８を参照しながら、収容固定部２３及び電線付き電圧検出端子１７について説明をする。また、本発明に係る接続構造について説明をする。図４は電線付き電圧検出端子をケースに固定した状態を示す平面図、図５は電線付き電圧検出端子を示す拡大斜視図、図６は図１の接続構造を示す断面図及び斜視図、図７は図１の接続構造を示す断面図、図８は電圧検出端子の固定状態を示す断面図及び斜視図である。
【００５５】
図４において、収容固定部２３は、電線付き電圧検出端子１７の後述する端子本体３８を収容する部分として形成される。収容固定部２３は、上記の如く貫通部２６を有する。また、この他の部分として、収容固定部２３は、載置部２７と囲い壁２８と端子固定部２９とを有する。
【００５６】
載置部２７と囲い壁２８と端子固定部２９は、底壁２２の上面側に配置形成される。載置部２７と囲い壁２８と端子固定部２９は、底壁２２の底面２５から見ると、電池集合体１（電池３）から離れる側に配置形成される。
【００５７】
載置部２７と端子固定部２９は、それぞれ貫通部２６に連続するように形成される。また、囲い壁２８は、貫通部２６の縁部と載置部２７の縁部とから立ち上がるように形成される。囲い壁２８は、収容固定部２３に収容された後述する端子本体３８を外力から保護する部分として機能するように形成される。囲い壁２８は、あまり高く形成されず、本実施例においては、電極４の長さに合わせるように、また、後述するナット５０の締め付け作業に配慮するように形成される。
【００５８】
貫通部２６は、上記の如く、後述する電気接触部３９の形状に合わせて貫通形成される。また、貫通部２６は、本実施例において、電気接触部３９を収容した状態でもバスバー１０（図２参照）を視認することができるように広く開口形成される。
【００５９】
ここで、引用符号３０を貫通部２６における第一縁部、また、引用符号３１を第一縁部３０の反対側に位置する第二縁部とすると、載置部２７は、第二縁部３１側に配置形成される。載置部２７は、電線付き電圧検出端子１７の後述する電線接続部４０を載置するための部分として形成される。
【００６０】
端子固定部２９は、複数構成であり、第一縁部３０と第二縁部３１とに跨るように配置形成される。端子固定部２９は、後述する端子本体３８を固定するための部分や、収容位置を決めるための部分として形成される。
【００６１】
尚、引用符号３２を貫通部２６における第三縁部とし、また、引用符号３３を第四縁部とすると、第一縁部３０〜第三縁部３２までが後述する電気接触部３９の形状に合わせて形成される。第四縁部３３側には、バスバー１０（図２参照）を視認することができるような開口部分（符号省略）が形成される。
【００６２】
載置部２７には、上記の如く電線接続部４０が載置されることから、後述する端子本体３８の収容位置を決める部分として有効になる。従って、載置部２７に関し、新たに引用符号３４を付してこれを電線接続部載置部分とすると、電線接続部載置部分３４は、特許請求の範囲に記載された導電路載置部分に相当し、端子固定部２９を構成する複数の部分の一つになる。
【００６３】
端子固定部２９は、上記の電線接続部載置部分３４の他、第一縁部３０に配置形成される第一端子固定部分３５と、第二縁部３１に配置形成される第二端子固定部分３６とを有し、これら第一端子固定部分３５と第二端子固定部分３６と電線接続部載置部分３４とにより構成される。
【００６４】
第一端子固定部分３５は、後述する端子本体３８を固定する部分として形成される。また、第二端子固定部分３６と電線接続部載置部分３４は、それぞれ単独では端子本体３８の収容位置を決める部分として形成され、二つまとめてでは、端子本体３８を固定する部分として形成される。
【００６５】
第一端子固定部分３５は、凹状の部分に形成される。具体的には、後述する端子本体３８の第一被固定部分４７に対する差し込みが可能な部分、すなわち差し込み凹部として機能する部分に形成される。第一端子固定部分３５は、第一被固定部分４７を固定して、端子本体３８を電極４の軸方向に移動不能にするように形成される。
【００６６】
第二端子固定部分３６は、テーパ面と係止面とを有する爪状（いわゆる係止突起形状）の部分に形成される。上記テーパ面は、後述する端子本体３８の第二被固定部分４８が第二端子固定部分３６を乗り越える際に摺動する部分として形成される。また、上記係止面は、第二被固定部分４８が第二端子固定部分３６を乗り越えた後、抜け方向の移動規制をする部分として形成される。係止面は、本実施例において、第一ケース１８の底面２５と同一平面上に配置形成される。
【００６７】
第二端子固定部分３６は、第二被固定部分４８の抜け方向の移動を規制することから、これ単独では後述する端子本体３８の収容位置を決める部分として有効になり、電線接続部載置部分３４と共に機能する状態では、端子本体３８を固定する部分として有効である。
【００６８】
尚、以上の説明からも分かるが、収容固定部２３には、従来例のようなバスバー１０に対するロック部の形成が不要になる。これは、バスバー１０が第二モジュール構成部９でなく第一モジュール構成部８側の構成品であるからである。
【００６９】
図４及び図５において、電線付き電圧検出端子１７は、公知の電線３７（導電路）の端末に端子本体３８（電圧検出端子）を設けてなるものであり、本実施例においては電池３（図１及び図２参照）の電圧を検出するために複数備えられる。
【００７０】
端子本体３８は、導電性を有する金属性の薄板をプレス加工することにより、例えば図に示す如くの形状に形成される。端子本体３８は、電気接触部３９と、電線接続部４０と、被固定部４１とを一体に有する。
【００７１】
電気接触部３９は、電気的な接続を行う部分であって、上面及び下面とも平坦な平板状に形成される。電気接触部３９の中央位置には、円形の電極挿通孔４２が貫通形成される。電極挿通孔４２は、電極４（図２参照）の径に合わせて形成される。
【００７２】
電気接触部３９は、以下の説明から分かるようになるが、後述する段付き部分４５、４９が連続することから、第一ケース１８の底面２５よりも突出する位置に配置されるような部分として形成される。尚、本実施例においては、電気接触部３９の肉厚分だけ突出する程度に配置形成されるものとする。
【００７３】
ここで、引用符号４３を電気接触部３９における一端、また、引用符号４４を一端４３の反対側に位置する他端とすると、電線接続部４０は、他端４４側に配置形成される。
【００７４】
電線接続部４０は、電線３７の端末を圧着により接続する部分として形成される（圧着に限らず、圧接や溶接等の適宜接続方法に合わせて形成される）。電線接続部４０は、一般的な端子金具と同様に電気接触部３９に対し真っ直ぐに連続するのではなく、電気接触部３９の他端４４から段付き状態で連続するように形成される。引用符号４５は段付き部分を示す。
【００７５】
電線接続部４０は、段付き部分４５を有することから、電線接続部４０から見ると、電気接触部３９は電極４（図２参照）の軸方向に沿って一段下がるような位置に配置される。
【００７６】
電線接続部４０は、収容固定部２３の載置部２７に載置される部分として形成される。また、載置部２７に載置された状態の電線接続部４０は、端子固定部２９の電線接続部載置部分３４（載置部２７と同じ部分）により電池３（図２参照）側への移動が規制される。
【００７７】
電線接続部４０に関し、新たに引用符号４６を付してこれを電線接続部分とすると、電線接続部分４６は、特許請求の範囲に記載された導電路接続部分に相当し、被固定部４１を構成する部分の一つになる。
【００７８】
被固定部４１は、上記の電線接続部分４６の他、電気接触部３９の一端４３側に配置形成される第一被固定部分４７と、電気接触部３９の他端４４側に配置形成される第二被固定部分４８とを有し、これら第一被固定部分４７と第二被固定部分４８と電線接続部分４６とにより構成される。
【００７９】
第一被固定部分４７は、端子固定部２９を構成する第一端子固定部分３５により固定される。また、第二被固定部分４８と電線接続部分４６は、端子固定部２９を構成する第二端子固定部分３６と電線接続部載置部分３４とにより固定される。
【００８０】
第一被固定部分４７は、凸状の部分に形成される。具体的には、差し込み凸部となるような形状に形成される。差し込み凸部は、差し込み凹部として機能する第一端子固定部分３５に対し差し込みが可能な形状に形成される。このような第一被固定部分４７は、電気接触部３９の一端４３に対し段付き状態で連続するように形成される。第一被固定部分４７は、電線接続部４０と同様に段付き部分４９を有する。
【００８１】
第一被固定部分４７は、段付き部分４９を有することから、第一被固定部分４７から見ると、電気接触部３９は電極４（図２参照）の軸方向に沿って一段下がるような位置に配置される。
【００８２】
第二端子固定部分３６は、電気接触部３９の他端４４に配置形成される。具体的には、他端４４から同一平面で突出するような突片状となる形状に形成される。第二端子固定部分３６は、端子固定部２９を構成する第二端子固定部分３６の上記係止面に引っ掛かり係止される部分として形成される。
【００８３】
上記構成において、図６ないし図８に示す如く、複数の電線付き電圧検出端子１７を第一ケース１８（ケース１６）の本体部２１に組み付けると、端子本体３８は対応する収容固定部２３に固定される。具体的には、電気接触部３９の形状が端子本体３８の全体で見ると凹状の形状になることから、組み付けを行うことにより、電気接触部３９は貫通部２６を介して底面２５よりも電池３側に突出した状態で固定される。また、組み付けを行うことにより、端子本体３８は電線接続部４０が載置部２７に載置され、電線接続部４０から引き出された電線３７は、電線収容部２４に収容・配索される。
【００８４】
端子本体３８の固定についてもう少し詳しく説明すると、端子本体３８は、この第一被固定部分４７が収容固定部２３の第一端子固定部分３５に差し込まれ、これにより電極４の軸方向への移動が規制された状態で固定される。また、端子本体３８は、この第二被固定部分４８が第二端子固定部分３６により係止されるとともに、電線接続部分４６が電線接続部載置部分３４に載置された状態になることから、こちらでも電極４の軸方向への移動が規制された状態で固定される。さらに、端子本体３８は、段付き部分４５、４９を有することから、これらが貫通部２６の第一縁部３０及び第二縁部３１に対し当接可能な状態であり、結果、端子本体３８の長手方向への移動が規制された状態で固定される。端子本体３８は、上記固定位置からも分かるように、安定した状態に固定される。
【００８５】
電線付き電圧検出端子１７の組み付けが完了すると、第一ケース１８（ケース１６）の底面２５からは、端子本体３８の電気接触部３９が電池３側に突出した状態であることから、このような固定状態で第二モジュール構成部９を第一モジュール構成部８に一体化すると、次のようになる。すなわち、電極４のボルト部７が電気接触部３９の電極挿通孔４２に挿通され、この後に電気接触部３９はバスバー１０の載置面１２に対し面接触状態で載置される。そして、ナット５０を用いて、このナット５０を電極４のボルト部７にねじ込んでいくと、電気接触部３９とバスバー１０とが完全に電気的に接続された状態になる。
【００８６】
尚、電気接触部３９が電池３側に突出した状態であることから、上記接続時において第一ケース１８の底面２５と電池３側との干渉が起こることはない。
【００８７】
電気接触部３９とバスバー１０とが完全に電気的に接続された状態になると、第二モジュール構成部９が第一モジュール構成部８に対し一体化した状態になることから、バスバーモジュール２が完成し、これと同時にバスバーモジュール２と電池集合体１との電気的な接続も完了する。また、この時、複数の電線付き電圧検出端子１７と電池集合体１との電気的な接続も完了する。
【００８８】
以上、図１ないし図８を参照しながら説明してきたように、端子本体３８の平板状の電気接触部３９をケース１６の底面２５よりも電池３側に突出させ、且つ、突出させたままの状態で固定をし、その上で接続をする構造であることから、電池集合体１における上記電極座面が仮に大きくなったとしても、或いは、電極４、５等を変更する必要があったとしても、ケース１６自体の大型化につながらないようにすることができる。より良くは、上記構造であることから、接続相手の形状や大きさ等に左右されずに使用することができる。具体的には、本実施例で採用したように、電気接触部３９をケース１６の底面２５よりも電池３側に突出させ、且つ、突出させたままの状態で固定をし、その上で予め電池集合体１側に設けられたバスバー１０と接続をする構造であることから、電極４、５や電極座面の形状や大きさ等に左右されずに使用することができる。従って、コスト増加の抑制を図ることや、接続に係る自由度を高めることができるという効果を奏する。
【００８９】
この他、バスバーモジュール２の構成及び構造から分かるように、従来と比べ、単純化や標準化を図ることができるという効果も奏する。また、上記の如く、ケース１６の底面２５と例えば電池３側との干渉を防止することができるという効果も奏する。さらには、端子固定部２９や被固定部４１を有する構成及び構造から分かるように、端子本体３８の固定状態を安定化させることができるという効果も奏する。
【００９０】
本発明は本発明の主旨を変えない範囲で種々変更実施可能なことは勿論である。
【００９１】
上記実施例では、電極４、５が電池集合体１におけるプラス電極及びマイナス電極であるものとして説明してきたが、これに限らず、電圧検出用として別個に設けられた専用電極であってもよいものとする。
【符号の説明】
【００９２】
１…電池集合体、  ２…バスバーモジュール、  ３…電池、  ４、５…電極、  ６…座部、  ７…ボルト部、  ８…第一モジュール構成部、  ９…第二モジュール構成部、  １０…バスバー（接続板）、  １１…電極挿通孔、  １２…載置面、  １３…ケース対向面、  １４…第一バスバー列、  １５…第二バスバー列、  １６…ケース、  １７…電線付き電圧検出端子（導電路付き端子）、  １８…第一ケース、  １９…第二ケース、  ２０…ケース連結部、  ２１…本体部、  ２２…底壁、  ２３…収容固定部、  ２４…電線収容部、  ２５…底面、  ２６…貫通部、  ２７…載置部、  ２８…囲い壁、  ２９…端子固定部、  ３０…第一縁部、  ３１…第二縁部、  ３２…第三縁部、  ３３…第四縁部、  ３４…電線接続部載置部分（導電路載置部分、端子固定部）、  ３５…第一端子固定部分（端子固定部）、  ３６…第二端子固定部分（端子固定部）、  ３７…電線（導電路）、  ３８…端子本体（電圧検出端子）、  ３９…電気接触部、  ４０…電線接続部、  ４１…被固定部、  ４２…電極挿通孔、  ４３…一端、  ４４…他端、  ４５、４９…段付き部分、  ４６…電線接続部分（導電路接続部分、被固定部）、  ４７…第一被固定部分（被固定部）、  ４８…第二被固定部分（被固定部）、  ５０…ナット
【図１】
2015082406.tif 000003
【図２】
2015082406.tif 000004
【図３】
2015082406.tif 000005
【図４】
2015082406.tif 000006
【図５】
2015082406.tif 000007
【図６】
2015082406.tif 000008
【図７】
2015082406.tif 000009
【図８】
2015082406.tif 000010
【図９】
2015082406.tif 000011
【図１０】
2015082406.tif 000012
【図１１】
2015082406.tif 000013
【図１２】
2015082406.tif 000014
【図１３】
2015082406.tif 000015
【図１４】
2015082406.tif 000016